【手続補正書】
【提出日】平成23年1月27日(2011.1.27)
【手続補正１】
【補正対象書類名】特許請求の範囲
【補正対象項目名】全文
【補正方法】変更
【補正の内容】
【特許請求の範囲】
【請求項１】
前後方向を定める縦軸（Ｌ，Ｌ２，Ｌ３）を有する備える切断ヘッド（１００，３００，５００）であって、
前記切断ヘッドは、複数の離間されたヘッドセグメント（１１２，３１２，５１２）を備えるキャップ部（１１０，３１０，５１０）と、前記キャップ部に連接されて前記切断ヘッドの後方に延びるテール部（１５０，３５０，５５０）と、を備え、
各ヘッドセグメントは、
ヘッド上面（１１６，３１６，５１６）と、
ヘッド基底面（１１４，３１４，５１４）と、
前記ヘッド上面に連結される回転先行部（１２０，３２０，５２０）であって、切断エッジ（１２２，３２２，５２２）を有し、かつ概して前記縦軸を中心とした回転方向に面する回転先行部と、
前記ヘッド上面に連結される回転随行部（１２４，３２４，５２４）であって、前記ヘッド上面の随行部に連結されて前記切断ヘッドの後方に延びるヘッド段壁（１２６，３２６，５２６）を有する回転随行部と、
を備え、
各ヘッドセグメントはさらに、前記回転方向の逆方向に延びるロッキング部材（１３０，３３０，５３０）を備え、
各ロッキング部材は、
前記ヘッド段壁の下方部に連結され、主として前記回転方向と逆方向に延びて、前記縦軸に対して略垂直である第１の壁（１３４，３３４，５３４）と、
前記第１の壁の随行端に連結され、主として前記切断ヘッドの後方に延びる第２の壁（１３６，３３６，５３６）と、
前記第２の壁の下方部に連結され、主として前記回転方向に延びて、前記縦軸に対して略垂直である第３の壁（１３８，３３８，５３８）と、
を備え、
前記切断ヘッドは、前記縦軸に対して略垂直のロッキング部材における２つの相対する壁によって挟まれるように構成され、
前記各壁の内の１つは、前記切断ヘッドの後方に向かって前記切断ヘッドを軸方向に支持するために当接されることを特徴とする切断ヘッド。
【請求項２】
前記第１の壁と前記ヘッド基底面は、前記縦軸に対して略垂直であることを特徴とする請求項１に記載の切断ヘッド。
【請求項３】
前記テール部は、円周方向に離間された複数のテール固定面（５８０）を有し、各テール固定面は、少なくとも部分的に前記切断ヘッド縦軸に沿って延びることを特徴とする請求項１に記載の切断ヘッド。
【請求項４】
前記円周方向に離間されたテール固定面は、前記テール部の上面において、前記ヘッド基底面の付近に形成されることを特徴とする請求項３に記載の切断ヘッド。
【請求項５】
各ヘッドセグメントは、前記回転先行部と前記回転随行部との間のある地点において外に向かって開く少なくとも１つのヘッド研削油剤流路（５７０）をさらに備えることを特徴とする請求項１に記載の切断ヘッド。
【請求項６】
前記第３の壁は、前記ヘッド基底面の一部であることを特徴とする請求項１に記載の切断ヘッド。
【請求項７】
前記第２の壁は円周方向当接面として構成され、前記第３の壁は軸方向当接面として構成されることを特徴とする請求項１に記載の切断ヘッド。
【請求項８】
前記第１の壁も軸方向当接面として構成されることを特徴とする請求項７に記載の切断ヘッド。
【請求項９】
各ヘッドセグメントは、
前記第３の壁の回転先行部に連結され、主として前記切断ヘッドの後方に延びる第４の壁（１５４）と、
前記第４の壁の下方部に連結され、主として前記回転方向に延びる第５の壁（１５６）と、
をさらに備えることを特徴とする請求項１に記載の切断ヘッド。
【請求項１０】
前記第１の壁は軸方向当接面として構成され、
前記第４の壁は円周方向当接面として構成され、
前記第５の壁は軸方向当接面として構成されることを特徴とする請求項９に記載の切断ヘッド。
【請求項１１】
前記第５の壁は、前記ヘッド基底面の一部であることを特徴とする請求項１０に記載の切断ヘッド。
【請求項１２】
前記第１の壁と前記第５の壁は、相互に略平行であることを特徴とする請求項１０に記載の切断ヘッド。
【請求項１３】
工具シャンク（２００，４００，６００）の前端に取り外し可能に装着される切断ヘッド（１００，３００，５００）であって、前記切断ヘッドと前記工具シャンクは、前後方向を定める共通の縦軸（Ｌ，Ｌ２，Ｌ３）と、前記縦軸を中心とした回転方向（Ｒ，Ｒ２，Ｒ３）と、を有し、
前記切断ヘッドは、複数の離間されたヘッドセグメント（１１２，３１２，５１２）を有するキャップ部（１１０，３１０，５１０）と、前記キャップ部に連結され、前記切断ヘッドの後方に延びるテール部（１５０，３５０，５５０）と、を備え、
各ヘッドセグメントは、
ヘッド上面（１１６，３１６，５１６）と、
ヘッド基底面（１１４，３１４，５１４）と、
前記ヘッド上面に連結される回転先行部（１２０，３２０，５２０）であって、切断エッジ（１２２，３２２，５２２）を有し、概して前記縦軸を中心とした回転方向に面する回転先行部と、
前記ヘッド上面に連結される回転随行部（１２４，３２４，５２４）であって、前記ヘッド上面の随行部に連結されて前記切断ヘッドの後方に延びるヘッド段壁（１２６，３２６，５２６）を有する回転随行部と、
を備え、
各ヘッドセグメントはさらに、前記回転方向と逆方向に延びるロッキング部材（１３０，３３０，５３０）を備え、
各ロッキング部材は、
前記ヘッド段壁の下方部に連結され、主として前記回転方向と逆方向に延びて、前記縦軸に対して略垂直である第１の壁（１３４，３３４，５３４）と、
前記第１の壁の随行端に連結され、主として前記切断ヘッドの後方に延びる第２の壁（１３６，３３６，５３６）と、
前記第２の壁の下方部に連結され、主として前記回転方向に延びて、前記縦軸に対して略垂直である第３の壁（１３８，３３８，５３８）と、
を備え、
前記工具シャンクは、
前記切断ヘッドの縦軸と一致するシャンク縦軸（Ｓ，Ｓ２，Ｓ３）と、
前記シャンク縦軸に沿って形成されるシャンクポケットくぼみ（２０２，４０２，６０２）と、
前記工具シャンクの前記前端（２１０，４１０，６１０）に形成されて、回転方向に離間された複数のシャンク結合部（２１２，４１２，６１２）と、
を備え、
各シャンク結合部は、
前記回転方向に面する開口部（２２２，４２２，６２２）を有するシャンクロッキング用くぼみ（２３０，４３０，６３０）であって、前記回転方向に沿って延びる上側の第１の面（２３４，４３４，６３４）と、前記上側の第１の面に連結され、主として前記工具シャンクの後方に延びる中間の第２の面（２３６，４３６，６３６）と、前記中間の第２の面に連結され、主として前記回転方向に沿って延びる下側の第３の面（２３８，４３８，６３８）と、を有するシャンクロッキング用くぼみ、を備え、
前記切断ヘッドの各ロッキング部材は、前記工具シャンクの対応するロッキング用くぼみに嵌り、
前記切断ヘッドの各テール部は、前記工具シャンクの前記シャンクポケットくぼみに嵌り、
前記縦軸に対して略垂直である前記ロッキング部材の２つの相対する壁は、前記シャンク縦軸に対して略垂直である前記工具シャンクの２つの相対する壁の間に挟まれ、
前記工具シャンクの前記各面の1つは、前記切断ヘッドの後方に向かって前記切断ヘッドを軸方向に支持するために、前記切断ヘッドの各面の１つに当接することを特徴とする回転切断工具。
【請求項１４】
前記テール部は、円周方向に離間された複数のテール固定面（５８０）を有し、各テール固定面は、少なくとも部分的に前記切断ヘッドの前記縦軸に沿って延び、
前記シャンクポケットくぼみは、円周方向に離間された複数のシャンク固定面（６８０）を有し、
第１の複数のシャンク固定面の各々は、第１の複数のテール固定面の中の対応する１つに当接することを特徴とする請求項１３に記載の回転切断工具。
【請求項１５】
各シャンク結合部について、前記中間の第２の面は対応するロッキング部材の前記第２の壁に当接し、トルク伝達面として機能することを特徴とする請求項１３に記載の回転切断工具。
【請求項１６】
各シャンク結合部について、前記ロッキング用くぼみの前記下側の第３の面は、対応するロッキング部材の前記第３の壁に当接して、これを軸方向に支持することを特徴とする請求項１５に記載の回転切断工具。
【請求項１７】
各シャンク結合部について、前記ロッキング用くぼみの前記第１の面は、対応するロッキング部材の前記第１の壁に当接することを特徴とする請求項１６に記載の回転切断工具。
【請求項１８】
前記切断ヘッドの前記テール部は、前記シャンクポケットくぼみに対して、保持力を持たない摺動関係にあることを特徴とする請求項１３に記載の回転切断工具。
【請求項１９】
前記切断ヘッドの各ヘッドセグメントはさらに、
前記第３の壁の回転先行部に連結され、主として前記切断ヘッドの後方に延びる第４の壁（１５４）と、
前記第４の壁の下方部に連結され、主として前記回転方向に延びる第５の壁（１５６）と、
を備え、
前記工具シャンクの各シャンク結合部はさらに、
前記下側の第３の面に連結され、主として前記工具シャンクの後方に延びる第４の面（２５４）と、
前記第４の面の下方部に連結され、主として前記回転方向に延びる第５の面（２５６）と、
を備え、
各シャンク結合部の前記第１の面は、対応するヘッドセグメントの前記第１の壁に当接し、
各シャンク結合部の前記第４の面は、対応するヘッドセグメントの前記第４の壁に当接し、
各シャンク結合部の前記第５の面は、対応するヘッドセグメントの前記第５の壁に当接することを特徴とする請求項１３に記載の回転切断工具。
【請求項２０】
各シャンク結合部の前記第１の面は、対応するヘッドセグメントを軸方向に支持し、
各シャンク結合部の前記第４の面は、トルク伝達面として機能し、
各シャンク結合部の前記第５の面は、対応するヘッドセグメントを軸方向に支持することを特徴とする請求項１９に記載の回転切断工具。
【手続補正２】
【補正対象書類名】明細書
【補正対象項目名】０００５
【補正方法】変更
【補正の内容】
【０００５】
第１の壁とヘッド基底面は、縦軸に略垂直であってもよい。
切断ヘッドは、縦軸に対して略垂直のロッキング部材における２つの相対する壁によって挟まれるように構成され、各壁の内の１つは、切断ヘッドの後方に向かって記録ヘッドを軸方向に支持するために当接される。
【手続補正３】
【補正対象書類名】明細書
【補正対象項目名】００１６
【補正方法】変更
【補正の内容】
【００１６】
別の態様において、本発明は、工具シャンクの前端に取り外し可能に装着された上記の切断ヘッドを備える回転金属切断工具に関し、切断ヘッドと工具シャンクは、前後方向を定める共通の回転縦軸と、前記縦軸を中心とした回転方向と、を有する。工具シャンクは、シャンク縦軸を有し、シャンク縦軸に沿って形成されたシャンクポケットくぼみと、工具シャンクの前端に形成されて、回転方向に離間された複数のシャンク結合部と、を備えていてもよい。各シャンク結合部は、回転方向に面する開口部を有するシャンクロッキング用くぼみを備えていてもよく、このシャンクロッキング用くぼみは、前記回転方向に延びる上側の第１の表面と、上側の第１の表面に連結され、主として工具シャンクの後方に延びる中間の第２の表面と、中間の第２の表面に連結され、主として前記回転方向に延びる下側の第３の表面と、を備える。すると、切断ヘッドの各ロッキング部材は、工具シャンク上の対応するロッキング用くぼみに嵌り、切断ヘッドのテール部は、工具シャンク上のシャンクポケットくぼみに嵌る。
縦軸に対して略垂直であるロッキング部材の２つの相対する壁は、シャンク縦軸に対して略垂直である工具シャンクの２つの相対する壁の間に挟まれ、工具シャンクの各面の1つは、切断ヘッドの後方に向かって記録ヘッドを軸方向に支持するために、切断ヘッドの各面の１つに当接する。
【手続補正４】
【補正対象書類名】明細書
【補正対象項目名】００２５
【補正方法】変更
【補正の内容】
【００２５】
【図１】本発明の第１の実施形態による切断工具アセンブリを分解した状態の斜視図である。
【図２】図１により部分的に組み立てられた切断工具アセンブリを示す図である。
【図３】図１により完全に組み立てられた切断工具アセンブリを示す図である。
【図４】図１に示すような本発明の第１の実施形態による切断ヘッドの側面斜視図である。
【図５】図４に示されるものと同じ切断ヘッドの底面斜視図である。
【図６】図１に示されるような本発明の第１の実施形態による工具シャンクの斜視図である。
【図７】ロッキング用くぼみと嵌合したロッキング部材を示す図３の切断工具アセンブリの拡大側面図である。
【図８】図７の線ＶＩＩＩ−ＶＩＩＩに沿った断面図である。
【図９】図７の線ＩＸ−ＩＸに沿った断面図である。
【図１０】図７の線Ｘ−Ｘに沿った断面図である。
【図１１】図７の線ＸＩ−ＸＩに沿った断面図である。
【図１２】本発明の第２の実施形態による完全に組み立てられた切断工具アセンブリを示す図である。
【図１３】図１２に示すような本発明の第２の実施形態による切断ヘッドの側方斜視図である。
【図１４】図１２に示すような本発明の第２の実施形態による工具シャンクの斜視図である。
【図１５】ロッキング用くぼみに嵌合したロッキング部材を示す図１２の切断工具アセンブリの拡大側面図である。
【図１６】図１５の線ＸＶＩ−ＸＶＩに沿った断面図である。
【図１７】図１５の線ＸＶＩＩ−ＸＶＩＩに沿った断面図である。
【図１８】図１５の線ＸＶＩＩＩ−ＸＶＩＩＩに沿った断面図である。
【図１９】本発明の第３の実施形態による切断工具アセンブリを分解した状態の斜視図である。
【図２０】図１９に示すような本発明の第３の実施形態による切断ヘッドの側方斜視図である。
【図２１】図１９に示すような本発明の第２の実施形態による工具シャンクの前端の側面図である。
【図２２】図１９の完全に組み立てられた切断工具アセンブリの、ロッキング用くぼみに嵌合したロッキング部材を示す拡大側面図である。
【図２３】図２２の線ＸＸＩＩＩ−ＸＸＩＩＩに沿った断面図である。
【図２４】図２２の線ＸＸＩＶ−ＸＸＩＶに沿った断面図である。
【図２５】図２２の完全に組み立てられた切断工具アセンブリを若干回転させた状態を示す図である。
【図２６】図２５の線ＸＸＶＩ−ＸＸＶＩに沿った断面図である。
【手続補正５】
【補正対象書類名】明細書
【補正対象項目名】００３６
【補正方法】変更
【補正の内容】
【００３６】
図６は、図１から図３に示される工具シャンク２００の斜視図である。工具シャンク２００は、組立後の工具９０の縦軸Ｌと一致するシャンク縦軸Ｓを有する。シャンク２００はまた、回転方向に離間された複数のシャンク結合部２１２を有する。各シャンク結合部２１２は、回転方向Ｒに面する円周方向開口部２２２を有するシャンクロッキング用くぼみ２３０を備える。シャンク２００には、その前端２１０に、シャンク縦軸Ｓに沿って延びる略円筒状のコンポーネント側壁２４０を有するシャンクポケットくぼみ２０２が設けられている。図の実施形態において、スロット２４２はコンポーネント側壁２４０を分離している。
【手続補正６】
【補正対象書類名】明細書
【補正対象項目名】００４３
【補正方法】変更
【補正の内容】
【００４３】
機能面については、各シャンク結合部の第４の面２５４は、トルク伝達面２５４として機能し、切断ヘッド１００と当接して、回転方向Ｒの回転力を切断ヘッド１００に伝える。さらに、各シャンク結合部２１０の第１の面２３４は、対応するヘッドセグメント１１２を後方に向かって軸方向に支持し、各シャンク結合部の第５の面２５６は、ヘッドセグメント１１２を前方に向かって軸方向に支持する。したがって、軸方向において、ロッキング部材１３０は、シャンク結合部の第１の面２３４と第５の面２５６とに当接し、その間に割り込む。各ヘッドセグメント１１２の第１、第４、第５の壁と、各シャンク連結部２１２の各面の第１、第４、第５の面は、当接しやすいように研磨されていてもよい。
【手続補正７】
【補正対象書類名】明細書
【補正対象項目名】００４４
【補正方法】変更
【補正の内容】
【００４４】
図１２は、本発明の第２の実施形態による回転金属切断工具９２、この場合にはドリル９２を示す。ドリル９２は、シャンク４００に取り外し可能に装着される切断ヘッド３００を備え、切断ヘッドとシャンクは共通の縦軸Ｌ２を有し、これを中心として、工具は回転方向Ｒ２に回転する。切断ヘッド３００は、好ましくは金属切断作業において用いられる種類であり、したがって、金属切断ヘッドと考えることができる。ドリル９２の切断ヘッド３００と工具シャンク４００は、ドリル９０に関して先に説明したものと同じ材料で製作される。シャンク４００には、軸方向に延びる１つまたは複数のシャンク溝４６０が設けられ、その各々は、組み立てられた工具において、対応するヘッド溝から継続する。
【手続補正８】
【補正対象書類名】明細書
【補正対象項目名】００５２
【補正方法】変更
【補正の内容】
【００５２】
第２の実施形態の完全に組み立てられた工具において、ヘッドセグメント３１２と、対応するシャンク結合部４１２と、の間には複数の側周当接点がある。図１５および図１６に見られるように、各シャンク結合部４１２の第１の面４３４は、対応するヘッドセグメント３１２の第１の壁３３４と当接し、各シャンク結合部４１２の第３の面４３８は、対応するヘッドセグメント３１２の第３の壁３３８と当接する。図１５および図１７に見られるように、各シャンクロッキング用くぼみ４３０の第２の面４３６は、対応するヘッドセグメント３１２の第２の壁３３６と当接する。したがって、この第２の実施形態において、ロッキング部材３３０を画定する３つの主な壁の各々には、ロッキング用くぼみ４３０を画定して対向する主な面が当接する。さらに、第１の切削壁３６２は、第１の切削くぼみ４６２に面する。しかしながら、ある構成においては、図１５に示されるように第１のギャップＧ１がヘッド段壁３２６とシャンク結合部４１２との間に形成されるため、ヘッド段壁３２６は少なくとも部分的にシャンク結合部と当接しないままとなる。
【手続補正９】
【補正対象書類名】明細書
【補正対象項目名】００５４
【補正方法】変更
【補正の内容】
【００５４】
図１９は、本発明の第３の実施形態による回転金属切断工具アセンブリ９４、この場合にはドリル９４を示す。ドリル９４は、シャンク６００の上に取り外し可能に装着される切断ヘッド５００を備え、切断ヘッドとシャンクは共通の縦軸Ｌ３を有し、これを中心として工具は回転方向Ｒ３に回転する。切断ヘッド５００は好ましくは、金属切断作業において用いられる種類であり、したがって金属切断ヘッドと考えることができる。ドリル９４の切断ヘッド５００と工具シャンク６００は、ドリル９０および９２に関して先に述べたものと同じ材料で製作される。
【手続補正１０】
【補正対象書類名】明細書
【補正対象項目名】００５７
【補正方法】変更
【補正の内容】
【００５７】
各ヘッドセグメント５１２はまた、ヘッド段壁５２６の下方部５３２に連結され、回転方向Ｒ３と逆方向に延びるロッキング部材５３０を有する。ロッキング部材５３０は、第１の壁５３４と、第２の壁５３６と、この第３の実施形態においてはヘッド基底面５１４の一部を形成する第３の壁５３８と、を有する。第１の壁５３４は、ヘッド段壁５２６の下方部５３２に連結され、主として回転方向Ｒ３と逆方向に延びる。第１の壁５３４とヘッド基底面５１４は、どちらも縦軸Ｌ３に対して略垂直である。第２の壁５３６は、第１の壁５３４の随行端に連結され、主として切断ヘッド５００の後方に延びる。第３の壁５３８は、第２の壁５３６の下方部に連結され、主として、第２の壁５３６から回転方向Ｒ２に延びる。
【手続補正１１】
【補正対象書類名】明細書
【補正対象項目名】００５８
【補正方法】変更
【補正の内容】
【００５８】
この切断ヘッド５００の第３の実施形態においては、第２の壁５３６が円周方向当接面として構成されるのに対し、第３の壁５３８は軸方向当接面として構成される。したがって、第２の壁５３６と第３の壁５３８は、着座および当接しやすくするために研磨されていてもよい。しかしながら、重要な点として、ある構成においては、第１の壁５３４が軸方向の位置決めにおいて何の役割も果たさない。
【手続補正１２】
【補正対象書類名】明細書
【補正対象項目名】００５９
【補正方法】変更
【補正の内容】
【００５９】
テール部５５０は、円周方向に離間されて半径方向の外側に突出する複数のテール固定面５８０を備える。各テール固定面５８０は、少なくとも部分的に縦軸Ｌ３に沿って延びる。図２０に見られるように、各テール固定面５８０は、テール部５５０上面に、ヘッド基底面５１４に近接して形成される。ある実施形態において、各テール固定面５８０は、縦軸Ｌ３を垂直に切った断面において弓形であり、したがって、円筒状外郭の一部を構成する。各テール固定面５８０とテール部の底面５８２との間に、陥凹した下側テール面５８４があり、その半径方向に最も外側の形状は、テール固定面５８０の半径方向の内側に面する。隣接するテール固定面５８０の間に、長いテール固定用くぼみ５８６があり、その半径方向に最も外側の形状も、テール固定面５８０の半径方向の内側に面する。したがって、テール固定面５８０は、テール部５５０の半径方向に最も外側の部分を形成する。
【手続補正１３】
【補正対象書類名】明細書
【補正対象項目名】００６０
【補正方法】変更
【補正の内容】
【００６０】
図２１は、図１９に示される工具シャンク６００の斜視図である。工具シャンク６００は、組み立てられた工具９４の縦軸Ｌ３と一致するシャンク縦軸Ｓ３を有する。シャンク６００は、互いに弾性的に変位可能であって回転方向に離間された複数のシャンク結合部６１２を有する。各シャンク結合部６１２は、少なくとも１つのシャンク研削油剤流路６７０を有する（図２６参照）。完全に組み立てられた工具において、各シャンク研削油剤流路６７０は、対応するヘッド研削油剤流路５７０と連通する。
【手続補正１４】
【補正対象書類名】明細書
【補正対象項目名】００６４
【補正方法】変更
【補正の内容】
【００６４】
図２２および図２４において最もよく見えるように、完全に組み立てられた工具９４において、切断ヘッド５００の各ロッキング部材５３０は、工具シャンク６００上の対応するロッキング用くぼみ６３０に嵌る。ロッキング部材５３０とロッキング用くぼみ６３０に関して、各シャンク結合部６１２の第２の面６３６は、対応するヘッドセグメント５１２の第２の壁５３６に当接し、各シャンク結合部６１２の第３の面６３８は、対応するヘッドセグメント５１２の第３の壁５３８に当接する。
【手続補正１５】
【補正対象書類名】明細書
【補正対象項目名】００６５
【補正方法】変更
【補正の内容】
【００６５】
図２２および図２３に見られるように、第１のギャップＧ１がヘッド段壁５２６とシャンク結合部６１２の間にある。第２のギャップＧ２も、ロッキング部材の第１の壁５３４と、ロッキング用くぼみ６３０の上側の第１の面６３４と、の間にある。したがって、ヘッド段壁５２６は、少なくとも部分的にシャンク結合部６１２によって当接されない状態のままであり、ロッキング部材の第１の壁５３４の一部も同様であってもよい。
【手続補正１６】
【補正対象書類名】明細書
【補正対象項目名】００６７
【補正方法】変更
【補正の内容】
【００６７】
機能面について、各ロッキング用くぼみ６３０第２の面６３６は、トルク伝達面６３６として機能し、ロッキング部材５３０の第２の壁５３６と当接して、これに回転力を回転方向Ｒ３に伝える。さらに、各ロッキング用くぼみ６３０の第３の面６３８は第３の壁５３８と当触し、対応するヘッドセグメントを前方へと軸方向に支持する。各ロッキング部材５３０の第２および第３の壁５３６，５３８と、各シャンク結合部６１２の第２および第３の面６３６，６３８は、当接しやすいように研磨されていてもよい。一方、テール固定面５８０とシャンク固定面６８０は、切断ヘッド５００を中央に位置付けて保持するのに役立つ。
【手続補正１７】
【補正対象書類名】明細書
【補正対象項目名】００７１
【補正方法】変更
【補正の内容】
【００７１】
上記の実施形態の各々において、完全に組み立てられた工具では、切断ヘッドが工具シャンクによって自己拘束式に保持され、したがって、ねじを使用せずにその中に取り外し可能に装着されることに注目すべきである。さらに、これらの実施形態の各々によれば、穿孔回転方向は、円周方向へのロッキング方向と同じであるため、切断ヘッドが使用中にさらにしっかりと固定される。
【手続補正１８】
【補正対象書類名】図面
【補正対象項目名】図１３
【補正方法】変更
【補正の内容】
【図１３】
2010517801.tif 000001
【手続補正１９】
【補正対象書類名】図面
【補正対象項目名】図１５
【補正方法】変更
【補正の内容】
【図１５】
2010517801.tif 000002
【手続補正２０】
【補正対象書類名】図面
【補正対象項目名】図１９
【補正方法】変更
【補正の内容】
【図１９】
2010517801.tif 000003
【手続補正２１】
【補正対象書類名】図面
【補正対象項目名】図２０
【補正方法】変更
【補正の内容】
【図２０】
2010517801.tif 000004
【手続補正２２】
【補正対象書類名】図面
【補正対象項目名】図２１
【補正方法】変更
【補正の内容】
【図２１】
2010517801.tif 000005